(57)【特許請求の範囲】
【請求項１】
容器１より突出する口部２を遮蔽する開口可能な遮蔽部３と上記口部２に嵌着される嵌合外筒４と嵌合内筒５とを少なくとも備えた中栓６と、この中栓６に被冠される蓋体７とから構成され、上記嵌合外筒４の肩部に、周方向の切取りスコア８が形成された合成樹脂製の分別回収可能なキャップ１０において、左右一対の切裂き始端部１１Ａ, １１Ｂから左右対称位置に一対のスコア８Ａ，８Ｂが、前記嵌合外筒４の肩部４Ａ，４Ｂの内面に形成され、前記スコア８Ａ，８Ｂに沿った切裂き終端部１２Ａ，１２Ｂの間にはスコア非形成部９が存在し、又、前記左右一対の切裂き始端部１１Ａ，１１Ｂの外方に一対の摘持柄２０Ａ，２０Ｂがそれぞれ一体に突設されていることを特徴とする分別回収可能なキャップ。
【請求項２】
切裂き始端部１１Ａと１１Ｂとが切欠スリット２１を挟んで対向し、この切欠スリット２１の下端が弱化下降線１９Ａ，１９Ｂに接続されている請求項１記載の分別回収可能なキャップ。
【発明の詳細な説明】
【０００１】
【発明の属する技術分野】
この発明は、ガラス製又はポリエチレンテレフタレ−ト等の合成樹脂製等の液体容器の口部に嵌着され切取りスコアが形成された中栓を有する分別回収可能なキャップに関するものである。
【０００２】
【従来の技術】
図７，図８は、従来の合成樹脂製キャップの一例に関するものである。
図７（イ）は分別回収可能なキャップ１０の中栓６の・−・線切断面図，図７（ロ）は同平面図、図８は切取りスコア８に沿って手前から切裂きを行うときの切裂き前の斜視図である。図において、１は容器、２は口部、３は遮蔽部で、薄肉状のスコア３ａとプルタブ１４を有し、薄肉状のスコアに沿って切り裂き引き抜き可能となっている。４は口部２に嵌着される嵌合外筒、５は口部２に嵌着される嵌合内筒、１６は注出し口であって、上記の嵌合外筒４，嵌合内筒５，注出し口１６，遮蔽部３によって中栓６が形成される。８は上記嵌合外筒４の肩部に形成された周方向の薄肉状の切取りスコアで、スリット窓１７に位置する切裂き始端部１１より切裂き終端部１２にかけて約１８０度にわたり形成されている。また、切裂き始端部１１付近には摘持柄２０の根元が接続されている。、さらにスリット窓１７の下端は弱化下降線１９に接続されている。７は蓋体としてのネジ蓋で、メネジ部を有し中栓６に螺合している。
【０００３】
【発明が解決しようとする課題】
上記合成樹脂製キャップはプルタブ１４を引き、遮蔽部３を切り裂いて抜き取り、注出し口１６より内容物を注ぐことが出来る。また、容器１を分別回収するときは、摘持柄２０を摘んで引張ると切取りスコア８と弱化下降線１９に沿って切り裂き、嵌合外筒４を剥離させることが出来る。図７（イ）にて判るように、射出成形によりゲートを通って矢印Ｇより注入された溶融樹脂は図示しない金型のキャビティ内を矢印方向に流れる。
しかしながら、図７の約左半分を占める切取りスコア８の付近を流れる樹脂はくびれた断面積の小さい肩部４Ａを通過するため、通過抵抗が大きい。一方約右半分を占める切取りスコア８のない肩部４Ｂは前記のようなくびれが無いため、切取りスコア８のない部分を流れる樹脂は通過抵抗が小さい。このように左半分を流れる樹脂の下流側と、右半分を流れる樹脂の下流側とでは充填性にアンバランスが生じ、たとえば左半分に根元が位置する摘持柄２０にショートショットが生じ、このため不良品となる確立が高く、右半分にはバリが発生し、このためバリ取り作業を必要とする。また、切取り作業中に摘持柄２０が切断された場合は分別回収が困難となる。
【０００４】
本発明はこれらの問題点を解決するためになされたもので、分別回収可能なキャップの成形不良が極めて少く、且つ、分別回収にあたり、摘持柄２０の切断に対応できる分別回収可能なキャップを得ることを目的とする。
【０００５】
【課題を解決するための手段】
本発明は、上記目的を達成するためになされたもので、請求項１記載の分別回収可能なキャップは、容器１より突出する口部２を遮蔽する開口可能な遮蔽部３と上記口部２に嵌着される嵌合外筒４と嵌合内筒５とを少なくとも備えた中栓６と、この中栓６に被冠される蓋体７とから構成され、上記嵌合外筒４の肩部に、周方向の切取りスコア８が形成された合成樹脂製の分別回収可能なキャップ１０において、左右一対の切裂き始端部１１Ａ, １１Ｂから左右対称位置に一対のスコア８Ａ，８Ｂが、前記嵌合外筒４の肩部４Ａ，４Ｂの内面に形成され、前記スコア８Ａ，８Ｂに沿った切裂き終端部１２Ａ，１２Ｂの間にはスコア非形成部９が存在する。
【０００６】
また、切裂き始端部１１Ａと切裂き始端部１１Ｂとが切欠スリット２１を挟んで対向し、この切欠スリット２１の下端が弱化下降線１９Ａ，１９Ｂに接続されていることが好ましい。
【０００７】
さらにまた、左右一対の切裂き始端部１１Ａ，１１Ｂの外方に一対の摘持柄２０Ａ，２０Ｂがそれぞれ一体に突設形成されるようにするとよい。
【０００８】
【発明の実施の形態】
発明の実施の形態を実施例に基づき図面を参照して説明する。先行技術と同一部分または相当部分には同一符号を付す。
図１は容器１より突出する口部２に装着され、蓋体としてのネジ蓋７を外した状態を示す合成樹脂製の分別回収可能なキャップ１０の斜視図である。また、図２は本発明の第一実施例を示すキャップ１０の（イ）正面図、（ロ）平面図である。また、図６は・−・線切断面図である。図において、１は容器、２は口部、３は遮蔽部で、薄肉状のスコア３ａとプルタブ１４を有し、スコアに沿って切り裂き引き抜き可能となっている。４は口部２に嵌着される嵌合外筒、５は口部２に嵌着される嵌合内筒である。１６は環状の注出し口で外側にオネジ部１６ａを有し、上記の嵌合外筒４，嵌合内筒５，注出し口１６，遮蔽部３によって中栓６が形成される。
【０００９】
１７Ａ，１７Ｂは左右一対のスリット窓で、これらに接して切裂き始端部１１Ａ，１１Ｂが位置し、この切裂き始端部１１Ａ，１１Ｂより左右対称に上記嵌合外筒４の肩部に沿って一対の薄肉状のスコア８Ａ，８Ｂが形成され，上記スコア８Ａ，８Ｂに沿った切裂き終端部１２Ａ，１２Ｂの間にはスコア非形成部９が存在する。また、切裂き始端部１１Ａ，１１Ｂ付近の外側には摘持柄２０Ａ，２０Ｂが一体に形成され、スリット窓１７Ａ，１７Ｂの下端は弱化下降線１９Ａ，１９Ｂに接続されている。
【００１０】
上記の分別回収可能なキャップ１０の中栓６を回収するときは、先ず摘持柄２０Ａを摘んで外方に引張ることにより、弱化下降線１９Ａの切裂きと同時に、切裂き始端部１１Ａからスコア８Ａに沿って切裂かれ、切裂き終端部１２Ａまで切裂かれる。次いで同様に、摘持柄２０Ｂを摘んで外方に引張ることにより、弱化下降線１９Ｂの切裂きと同時に、切裂き始端部１１Ｂからスコア８Ｂに沿って切裂かれ、切裂き終端部１２Ｂまで切裂かれる。そして、口部２に嵌着された状態にあるスコア非形成部９とこれに繋がる左右の帯状の切取り片を持って中栓６を引張り上げて取り外すようにすればよい。
【００１１】
上記の分別回収可能なキャップ１０の中栓６は、図６に示すように、スコア８Ａの存在する断面積の小さい肩部４Ａと、スコア８Ｂの存在する断面積の小さい肩部４Ｂとは、通過断面積がほぼ等しいので、流れる溶融樹脂の流動バランスがよく、ショートしたり、バリが発生することがなくなる。
【００１２】
図３は本発明の第二実施例を示すキャップ１０の中栓６の（イ）正面図、（ロ）平面図である。
前記第一実施例では、摘持柄２０Ａ，２０Ｂが周方口に沿って対称的に形成されているので、切裂き始端部１１Ａと切裂き始端部１１Ｂとの距離が離れ、このため、切裂き作業終了後も、切裂き始端部１１Ａ，１１Ｂ間の部分が口部２に嵌着された状態として残存する。そこで、この第二実施例では摘持柄２０Ａ，２０Ｂを放射方向に突出させることによって切裂き始端部１１Ａと切裂き始端部１１Ｂとの距離を短縮して切欠スリット２１を挟んで対向させ、切欠スリット２１の下端を弱化下降線１９Ａ，１９Ｂに接続させている。
この第二実施例では、切裂き始端部１１Ａと切裂き始端部１１Ｂとの間には切欠スリット２１が存在するので、切裂き始端部１１Ａ，１１Ｂ間の部分は口部２に残らなくなるから回収が一層容易になる。
【００１３】
図４は本発明の第三実施例を示すキャップ１０の中栓６の（イ）正面図、（ロ）平面図である。前記第二実施例では、摘持柄２０Ａ，２０Ｂがほぼ放射方向に突出しているが、出っ張りが邪魔になるので、この第三実施例では摘持柄２０Ａ，２０Ｂを垂直上方に突出させ、コンパクトに纏めている他は図３と同様である。  この第三実施例でも、切裂き始端部１１Ａと切裂き始端部１１Ｂとの間には切欠スリット２１が存在するので、切裂き始端部１１Ａ，１１Ｂ間の部分は口部２に残らなくなるから回収が一層容易になる。
【００１４】
図５は本発明の第四実施例を示すキャップ１０の中栓６の（イ）正面図、（ロ）平面図である。前記第一〜第三実施例では、すべて摘持柄２０Ａ，２０Ｂを備えているが、この第四実施例では摘持柄２０Ａ，２０Ｂを廃止し、突起物をなくし、切裂き始端部１１Ａと切裂き始端部１１Ｂとを切欠スリット２１を挟んで対向させ、切欠スリット２１の下端を弱化下降線１９Ａ，１９Ｂに接続させている。
この第四実施例では、切欠スリット２１より切裂き始端部１１Ａと切裂き始端部１１Ｂを切り起すことによって、回収を図ることが出来る。
【００１５】
前述のとおり、前記第二〜第四実施例では第一実施例のものと、ほぼ同様の動作で、キャップ１０の中栓６を口部２から取外すことが出来る。
さらに、前記第二〜第四実施例では第一実施例のものと同様に、上記の分別回収可能なキャップ１０の中栓６は、図６に示すように、スコア８Ａの存在する断面積の小さい肩部４Ａと、スコア８Ｂの存在する断面積の小さい肩部４Ｂとは、通過断面積がほぼ等しいので、流れる溶融樹脂の流動バランスがよく、ショートしたり、バリが発生することがなくなる。
【００１６】
第一実施例において、蓋体としてネジ蓋７を用いているが、蝶番付き蓋を用いてもよい。
切裂き始端部１１より切裂き終端部１２に至たる角度は９０度以上必要であるが、半周（１８０度）を超えることはない。
【００１７】
【発明の効果】
本発明は、以上説明したように構成されているので、以下に記載されるような効果を奏する。
【００１８】
本発明の請求項１記載の分別回収可能なキャップは、左右一対の切裂き始端部１１Ａ，１１Ｂから左右対称位置に一対のスコア８Ａ，８Ｂが形成されることにより、スコア８Ａの存在する断面積の小さい肩部４Ａと、スコア８Ｂの存在する断面積の小さい肩部４Ｂとは、通過断面積がほぼ等しいので、流れる溶融樹脂の流動バランスがよく、ショートしたり、バリが発生することがなくなる。従って、不良品の発生が少く、バリ取り作業を必要としない。万一切取り作業中に一方の摘持柄１８が切断された場合は他方の摘持柄１８によって分別回収を図ることが出来る。
また、スコア８Ａ，８Ｂに沿った切裂き終端部１２Ａ，１２Ｂの間にはスコア非形成部９が存在することにより、口部２に嵌着された状態にあるスコア非形成部９とこれに繋がる左右の帯状の切取り片を持って中栓６を引張り上げて取り外すことができるから、回収作業が容易となる。
【００１９】
本発明の請求項２記載の分別回収可能なキャップは、切裂き始端部１１Ａと切裂き始端部１１Ｂとが切欠スリット２１を挟んで対向し、この切欠スリット２１の下端が弱化下降線１９Ａ，１９Ｂに接続されていることにより、上記の効果に加え、切裂き始端部１１Ａ，１１Ｂ間の部分は口部２に残らなくなるから回収が一層容易となる。
【００２０】
本発明の請求項３記載の分別回収可能なキャップは、左右一対の切裂き始端部１１Ａ，１１Ｂの外方に一対の摘持柄２０Ａ，２０Ｂがそれぞれ一体に突設形成されていることにより、上記の効果に加え、摘持柄２０Ａ，２０Ｂを摘んで容易に切裂くことができるので回収が一層容易となる。
【図面の簡単な説明】
【図１】蓋体を外した状態を示す本発明の分別回収可能なキャップ１０の斜視図である。
【図２】本発明の第一実施例を示すキャップ１０の中栓６の（イ）正面図、（ロ）平面図である。
【図３】本発明の第二実施例を示すキャップ１０の中栓６の（イ）正面図、（ロ）平面図である。
【図４】本発明の第三実施例を示すキャップ１０の中栓６の（イ）正面図、（ロ）平面図である。
【図５】本発明の第四実施例を示すキャップ１０の中栓６の（イ）正面図、（ロ）平面図である。
【図６】各実施例のVI−VI線切断面図である。
【図７】従来の分別回収可能なキャップ１０の中栓６の（イ）VII−VII線切断面図、（ロ）平面図である。
【図８】蓋体を外した状態を示す従来の分別回収可能なキャップ１０の斜視図である。
【符号の説明】
１          容器
２          口部
３          遮蔽部
３ａ        スコア
４          嵌合外筒
４Ａ，４Ｂ  肩部
５          嵌合内筒
６          中栓
７          蓋体（ネジ蓋）
８          切取りスコア
８Ａ，８Ｂ  スコア
９          スコア非形成部
１０        キャップ
１１Ａ，１１Ｂ  切裂き始端部
１２Ａ，１２Ｂ  切裂き終端部
１４        プルタブ
１６        注出し口
１７        スリット窓
１７Ａ，１７Ｂ  スリット窓
１９        弱化下降線
１９Ａ，１９Ｂ  弱化下降線
２０        摘持柄
２０Ａ，２０Ｂ  摘持柄
２１        切欠スリット
【図１】
0004341761.tif 000002
【図２】
0004341761.tif 000003
【図３】
0004341761.tif 000004
【図４】
0004341761.tif 000005
【図５】
0004341761.tif 000006
【図６】
0004341761.tif 000007
【図７】
0004341761.tif 000008
【図８】
0004341761.tif 000009